(57)【要約】【課題】外観品質を良好に保ちながら展開可能な折畳シートを折り畳んで保持でき、展開された状態の折畳シートに対して複数の被収集物を収集し、折畳シートを展開状態に保つことで収集された複数の被収集物を展示可能とする。【解決手段】折畳収集帳１は、略矩形状の単位シート部２ａに折り畳まれる展開可能な折畳シート２と、折り畳まれた折畳シート２の最下層及び最上層に位置する単位シート部２ａに夫々固着され、単位シート部２ａの縦横の外形寸法よりも大きく且つ折畳シート２よりも曲げ剛性の高い素材からなる略矩形状の一対の被覆材３，４と、を備え、折畳シート２を折り畳んだときに、いずれか一方の被覆材３は、当該被覆材３の少なくとも一辺には折り畳まれた折畳シート２の厚さ及び他方の被覆材４の厚さの合算値以上の幅寸法の折曲部６を介して連接し、他方の被覆材４を覆うように延長する延長部５を有する。【選択図】図１
2019188634.tif 000002
【特許請求の範囲】
【請求項１】
縦横複数の折り目を介して連接し、略矩形状の単位シート部に折り畳まれる展開可能な折畳シートと、
折り畳まれた前記折畳シートの最下層及び最上層に位置する単位シート部に夫々固着され、前記単位シート部の縦横の外形寸法よりも大きく且つ前記折畳シートよりも曲げ剛性の高い素材からなる略矩形状の一対の被覆材と、
を備え、
前記折畳シートを折り畳んだときに、いずれか一方の被覆材は、当該被覆材の少なくとも一辺には折り畳まれた折畳シートの厚さ及び他方の被覆材の厚さの合算値以上の幅寸法の折曲部を介して連接し、前記他方の被覆材を覆うように延長する延長部を有することを特徴とする折畳収集帳。
【請求項２】
請求項１に記載の折畳収集帳において、
前記延長部は、いずれか一方の被覆材のうち縦方向に延びる側辺に折曲部を介して連接することを特徴とする折畳収集帳。
【請求項３】
請求項１又は２に記載の折畳収集帳において、
前記延長部は、前記折曲部から離れた側に引っ掛け部を有し、前記他方の被覆材に設けられた被引っ掛け部に前記引っ掛け部を係脱可能としたことを特徴とする折畳収集帳。
【請求項４】
請求項１乃至３のいずれかに記載の折畳収集帳において、
前記折畳シートは墨汁、朱印又はインクによる表示が滲み・裏移りし難い和紙にて構成されていることを特徴とする折畳収集帳。
【請求項５】
請求項１乃至４のいずれかに記載の折畳収集帳において、
前記折畳シートはミウラ折りにて折り畳まれるものであることを特徴とする折畳収集帳。
【請求項６】
請求項１乃至５のいずれかに記載の折畳収集帳において、
前記一対の被覆材は、前記折畳シートを折り畳んだときに外側に露呈する面に装飾を施したものであることを特徴とする折畳収集帳。
【請求項７】
請求項１乃至６のいずれかに記載の折畳収集帳において、
前記一対の被覆材は、前記一方の被覆材の延長部と前記他方の被覆材との間の周辺マチ面を切取り可能に覆うマチ面被覆帯部を有することを特徴とする折畳収集帳。
【請求項８】
請求項１に記載の折畳収集帳を使用するに際し、
前記一対の被覆材のうち一方の被覆材の延長部を折曲部を介して開放した後、
前記一対の被覆材を把持して前記折畳シートを全部又は一部展開し、
展開された折畳シートの該当箇所に被収集物を収集した後、
前記一対の被覆材を把持して当該折畳シートを折り畳み、しかる後、一方の被覆材の延長部を折曲部を介して前記他方の被覆材を覆う位置に戻すようにすることを特徴とする折畳収集帳の使用方法。
【請求項９】
請求項１に記載の折畳収集帳を使用するに際し、
前記折畳シートに目標とする複数の被収集物を収集し終わった後、
前記折畳シートを全部展開し、かつ、前記一方の被覆材の延長部を折曲部を介して前記折畳シートの単位シート部上に折り返し、
当該折畳シート全体を展開状態で保持することにより収集された被収集物を展示するようにしたことを特徴とする折畳収集帳の使用方法。
【発明の詳細な説明】
【技術分野】
【０００１】
本発明は、複数の被収集物を収集する折畳収集帳に係り、特に、被収集物を収集する過程では折畳シートを折り畳んだ状態で保持でき、折畳シートを展開することで収集した被収集物を展示することを企図した折畳収集帳及びその使用方法に関する。
【背景技術】
【０００２】
従来における折畳シート及びこれを用いた折畳シートの保護構造としては例えば特許文献１〜４に記載のものが既に知られている。
特許文献１には、頂点及び隣り合った２側辺を共有させた状態で矢羽根状に配置された４個の平行四辺形で構成された基本領域の集合で作られ、矢羽根方向と交差する方向の側辺のうち矢羽根方向に隣り合ったものどうしが相反するようにかつ矢羽根方向に対し直角な方向に隣り合ったものどうしが同方向に山・谷折りとされ、矢羽根方向に平行な側辺のうち矢羽根方向に隣り合ったものどうし並びに矢羽根方向に直角な方向に隣り合ったものどうしが相反するように山・谷折りに折りたたまれた地図が開示されている。
特許文献２には、長方形の紙面を紙面と等幅の細長い長方形に折り畳まれた状態を短冊と呼び、該短冊をオフセット角をつけて折り返す際に元の短冊に重ねられた一つの頂点が乗る位置にガイドマークＱを、折り返した短冊部分を前記オフセット角で再び折り返す際にオフセット角に対応する頂点の位置にガイドマークＲを定義し、ガイドマークＱ，Ｒを紙面にしるしてミウラ折り（登録商標、以下同様）用紙とするものが開示されている。
特許文献３には、折り畳んだシートを保護できる構造を有し、表厚紙の上部と裏厚紙の下部に形成した係止爪を相手側のスロットに挿入することでシートを折り畳み状態に保ち、同係止爪を対応するスロットから外すだけで、シートを広げることができる折り畳みシートが開示されている。
特許文献４には、折り畳んだシートを保護できる構造を有し、折り畳まれたシートの一端部を引くだけの簡単な操作でシートを広げることができる折り畳みシートが開示されている。
【先行技術文献】
【特許文献】
【０００３】
【特許文献１】実公昭５６−２５０２３号公報（考案の詳細な説明，第２図）
【特許文献２】実用新案登録第３１７６５５５号公報（実施例１，図１）
【特許文献３】意匠登録第１２３７４５７号公報（意匠に係る物品の説明，意匠の特徴）
【特許文献４】意匠登録第１２３７４５８号公報（意匠に係る物品の説明，意匠の特徴）
【発明の概要】
【発明が解決しようとする課題】
【０００４】
本願発明が解決しようとする技術的課題は、外観品質を良好に保ちながら展開可能な折畳シートを折り畳んで保持でき、展開された状態の折畳シートに対して複数の被収集物を収集し、折畳シートを展開状態に保つことで収集された複数の被収集物を展示可能とする折畳収集帳及びその使用方法を提供することにある。
【課題を解決するための手段】
【０００５】
本発明の第１の技術的特徴は、縦横複数の折り目を介して連接し、略矩形状の単位シート部に折り畳まれる展開可能な折畳シートと、折り畳まれた前記折畳シートの最下層及び最上層に位置する単位シート部に夫々固着され、前記単位シート部の縦横の外形寸法よりも大きく且つ前記折畳シートよりも曲げ剛性の高い素材からなる略矩形状の一対の被覆材と、を備え、前記折畳シートを折り畳んだときに、いずれか一方の被覆材は、当該被覆材の少なくとも一辺には折り畳まれた折畳シートの厚さ及び他方の被覆材の厚さの合算値以上の幅寸法の折曲部を介して連接し、前記他方の被覆材を覆うように延長する延長部を有することを特徴とする折畳収集帳である。
【０００６】
本発明の第２の技術的特徴は、第１の技術的特徴を備えた折畳収集帳において、前記延長部は、いずれか一方の被覆材のうち縦方向に延びる側辺に折曲部を介して連接することを特徴とする折畳収集帳である。
本発明の第３の技術的特徴は、第１又は第２の技術的特徴を備えた折畳収集帳において、前記延長部は、前記折曲部から離れた側に引っ掛け部を有し、前記他方の被覆材に設けられた被引っ掛け部に前記引っ掛け部を係脱可能としたことを特徴とする折畳収集帳である。
本発明の第４の技術的特徴は、第１乃至第３のいずれかの技術的特徴を備えた折畳収集帳において、前記折畳シートは墨汁、朱印又はインクによる表示が滲み・裏移りし難い和紙にて構成されていることを特徴とする折畳収集帳である。
本発明の第５の技術的特徴は、第１乃至第４のいずれかの技術的特徴を備えた折畳収集帳において、前記折畳シートはミウラ折りにて折り畳まれるものであることを特徴とする折畳収集帳である。
本発明の第６の技術的特徴は、第１乃至第５のいずれかの技術的特徴を備えた折畳収集帳において、前記一対の被覆材は、前記折畳シートを折り畳んだときに外側に露呈する面に装飾を施したものであることを特徴とする折畳収集帳である。
本発明の第７の技術的特徴は、第１乃至第６のいずれかの技術的特徴を備えた折畳収集帳において、前記一対の被覆材は、前記一方の被覆材の延長部と前記他方の被覆材との間の周辺マチ面を切取り可能に覆うマチ面被覆帯部を有することを特徴とする折畳収集帳である。
【０００７】
本発明の第８の技術的特徴は、第１の技術的特徴を備えた折畳収集帳を使用するに際し、前記一対の被覆材のうち一方の被覆材の延長部を折曲部を介して開放した後、前記一対の被覆材を把持して前記折畳シートを全部又は一部展開し、展開された折畳シートの該当箇所に被収集物を収集した後、前記一対の被覆材を把持して当該折畳シートを折り畳み、しかる後、一方の被覆材の延長部を折曲部を介して前記他方の被覆材を覆う位置に戻すようにすることを特徴とする折畳収集帳の使用方法である。
本発明の第９の技術的特徴は、第１の技術的特徴を備えた折畳収集帳を使用するに際し、前記折畳シートに目標とする複数の被収集物を収集し終わった後、前記折畳シートを全部展開し、かつ、前記一方の被覆材の延長部を折曲部を介して前記折畳シートの単位シート部上に折り返し、当該折畳シート全体を展開状態で保持することにより収集された被収集物を展示するようにしたことを特徴とする折畳収集帳の使用方法である。
【発明の効果】
【０００８】
本発明の第１の技術的特徴によれば、外観品質を良好に保ちながら展開可能な折畳シートを折り畳んで保持でき、展開された状態の折畳シートに対して複数の被収集物を収集し、折畳シートを展開状態に保つことで収集された複数の被収集物を展示することができる。
本発明の第２の技術的特徴によれば、一方の被覆材の延長部を開閉操作性が良好な横開きにすることができる。
本発明の第３の技術的特徴によれば、一対の被覆材の閉じ位置を保ち、折畳収集帳の閉じ形状を維持した状態で保管することができる。
本発明の第４の技術的特徴によれば、折畳シートを折り畳んだときに収集した被収集物の品質を損なう事態を抑制することができる。
本発明の第５の技術的特徴によれば、本構成を有しない態様に比べて、折畳シートの折り畳み動作を繰り返したとしても、破れ難い折畳収集帳を提供することができる。
本発明の第６の技術的特徴によれば、折畳収集帳の外観品質として更にデザイン性を高めることができる。
本発明の第７の技術的特徴によれば、一対の被覆材の周辺マチ面を被覆しない態様に比べて、未使用時の折畳収集帳の保管状態を良好に保つことができる。
本発明の第８の技術的特徴によれば、外観品質を良好に保ちながら展開可能な折畳シートを折り畳んで保持でき、展開された状態の折畳シートに対して複数の被収集物を収集し、折畳シートを展開状態に保つことで収集された複数の被収集物を展示可能とする折畳収集帳の使用方法を提供することができる。
本発明の第９の技術的特徴によれば、折畳シートに収集された被収集物に加えて、被覆材の一部のデザインを合わせて展示することができる。
【図面の簡単な説明】
【０００９】
【図１】（ａ）は本発明が適用された折畳収集帳の実施の形態の概要であって、折畳シートを展開した状態の折畳収集帳を示す説明図、（ｂ）は同折畳収集帳のうち折畳シートを折り畳んだ状態の折畳収集帳を示す斜視説明図、（ｃ）は同折畳収集帳のうち折畳シートを折り畳んだ状態の折畳収集帳の断面説明図である。
【図２】実施の形態１に係る折畳収集帳の全体構成を示す説明図である。
【図３】（ａ）は実施の形態１に係る折畳収集帳のうち折畳シートの構成例を示す説明図、（ｂ）は折畳シートを折り畳んだ状態を示す斜視説明図である。
【図４】（ａ）は実施の形態１に係る折畳収集帳のうち第１のカバーの構成例を示す説明図、（ｂ）は（ａ）中Ｂ−Ｂ線断面説明図、（ｃ）は同折畳収集帳のうち第２のカバーの構成例を示す説明図である。
【図５】（ａ）は実施の形態１に係る折畳収集帳のうち折畳シートを折り畳んだ状態を示す斜視説明図、（ｂ）は（ａ）における折畳収集帳において第１のカバーによる折畳シートの被覆状態を示す断面説明図である。
【図６】（ａ）は実施の形態１に係る折畳収集帳の被収集物収集時における使用態様１を示す説明図、（ｂ）は同折畳収集帳の被収集物収集時における使用態様２を示す説明図である。
【図７】（ａ）は実施の形態１に係る折畳収集帳の被収集物展示時における使用態様を示す説明図、（ｂ）は（ａ）中Ｂ部分の拡大説明図である。
【図８】（ａ）は実施の形態１に係る折畳収集帳のカバーの係止構造例１を示す説明図、（ｂ）は同折畳収集帳のカバーの係止構造例２を示す説明図である。
【図９】（ａ）は変形の形態１に係る折畳収集帳を示す説明図、（ｂ）は変形の形態２に係る折畳収集帳のうち第１のカバーの構成例を示す説明図である。
【図１０】（ａ）は実施の形態２に係る折畳収集帳使用時の状態を示す説明図、（ｂ）は同折畳収集帳に用いられる第１のカバーの構成例を示す説明図である。
【図１１】（ａ）は実施の形態２に係る折畳収集帳で用いられる第１のカバーの斜視説明図、（ｂ）は同折畳収集帳で用いられる第１のカバーを袋綴じ状態にした斜視説明図である。
【図１２】（ａ）は実施例１に係る折畳収集帳としての御朱印帳の外観を示す説明図、（ｂ）は実施例２に係る折畳収集帳としての御朱印帳の外観を示す説明図である。
【図１３】実施例１に係る折畳収集帳としての御朱印帳の使用例を示す説明図である。
【発明を実施するための形態】
【００１０】
◎実施の形態の概要
図１（ａ）は本発明が適用された折畳収集帳の実施の形態の概要を示す説明図である。
同図において、折畳収集帳１は、縦横複数の折り目２ｂを介して連接し、略矩形状の単位シート部２ａに折り畳まれる展開可能な折畳シート２と、折り畳まれた折畳シート２の最下層及び最上層に位置する単位シート部２ａに夫々固着され、単位シート部２ａの縦横の外形寸法よりも大きく且つ折畳シート２よりも曲げ剛性の高い素材からなる略矩形状の一対の被覆材３，４と、を備え、図１（ｂ）（ｃ）に示すように、折畳シート２を折り畳んだときに、いずれか一方の被覆材３は、当該被覆材３の少なくとも一辺には折り畳まれた折畳シート２の厚さ及び他方の被覆材４の厚さの合算値以上の幅寸法の折曲部６を介して連接し、他方の被覆材４を覆うように延長する延長部５を有するものである。
【００１１】
このような技術的手段において、折畳収集帳１は各種被収集物を複数収集する帳面として広く用いられる。ここで、被収集物としては、神社・仏閣の御朱印を始め、シール、カード、スタンプ、寄せ書き、サイン、色紙、絵手紙、スケッチ、七福神めぐりなどが挙げられる。
また、折畳シート２の折り方は略矩形状の単位シート部２ａを縦横に折り畳むものであれば既存の様式（ミウラ折り、Ｚ折り等）適宜選定して差し支えない。
更に、一対の被覆材３，４の大きさは折畳シート２の単位シート部２ａの縦横の外形寸法より大きいことが必要であり、これにより、折り畳まれた折畳シート２周縁の損傷を防止する。また、折畳収集帳１の外形形状を保つために被覆材３，４の曲げ剛性を折畳シート２よりも高くすることが必要である。
更にまた、延長部５は一方の被覆材３の少なくとも一辺に折曲部６を介して連接していればよく、被覆材３の対向辺に夫々折曲部６を介して連接し、対構成の延長部５を重ねて閉じるようにしてもよい。
また、折曲部６の幅寸法は折り畳まれた折畳シート２の厚さ及び他方の被覆材４の厚さの合算値以上であればよく、これにより、対構成の被覆材３，４間に折り畳まれた折畳シート２の収容スペースを確保するようになっている。
【００１２】
次に、折畳収集帳１の代表的態様又は好ましい態様について説明する。
先ず、被覆材３，４の代表的態様としては、延長部５は、いずれか一方の被覆材３のうち縦方向に延びる側辺に折曲部６を介して連接する態様が挙げられる。本例は、折畳シート２が展開されたときに延長部５が折曲部６を介して横方向に向けて拡がり、延長部５の開閉操作がし易い態様である。
また、被覆材３，４の好ましい態様としては、延長部５は、折曲部６から離れた側に図示外の引っ掛け部を有し、他方の被覆材４に設けられた図示外の被引っ掛け部に引っ掛け部を係脱可能とした態様が挙げられる。本例は、一方の被覆材３の延長部５と他方の被覆材４との間に係止構造を付した態様で、一対の被覆材３，４の閉じ状態を維持する上で好ましい。
【００１３】
更に、折畳シート２の代表的態様としては、墨汁、朱印又はインクによる表示が滲み・裏移りし難い和紙にて構成されている態様が挙げられる。本例は、墨汁、朱印又はインクで折畳シート２に表記したときに、滲み・裏移りのない特殊な和紙を使用した態様である。
更にまた、折畳シート２の好ましい態様としては、ミウラ折りにて折り畳まれるものである態様が挙げられる。本例は、折畳シート２をミウラ折りで折り畳む態様であり、山折り、谷折りの位置が固定していて破れ難い態様である。
【００１４】
また、被覆材３，４の好ましい態様としては、折畳シート２を折り畳んだときに外側に露呈する面に装飾を施した態様が挙げられる。本例は、被覆材３，４に装飾を施す態様である。ここで、装飾としては伝統和紙等の装飾材を貼付したり、無垢の被覆基材にカラー印刷による装飾画像を形成するものが挙げられる。
更に、被覆材３，４の好ましい別の態様としては、一方の被覆材３の延長部５と他方の被覆材４との間の周辺マチ面を切取り可能に覆うマチ面被覆帯部（図示せず）を有する態様が挙げられる。本例は、使用前の折畳収集帳１として折畳シート２を袋綴じ状態に保ち、使用時にマチ面被覆帯部を切り取ることで折畳収集帳１の折畳シート２を展開可能としたものである。
【００１５】
また、本実施の形態において、折畳収集帳１の代表的な使用方法としては、折畳収集帳１を使用するに際し、一対の被覆材３，４のうち一方の被覆材３の延長部５を折曲部６を介して開放した後、一対の被覆材３，４を把持して折畳シート２を全部又は一部展開し、展開された折畳シート２の該当箇所に被収集物を収集した後、一対の被覆材３，４を把持して当該折畳シート２を折り畳み、しかる後、一方の被覆材３の延長部５を折曲部６を介して他方の被覆材４を覆う位置に戻すようにする方法が挙げられる。本例は、折畳収集帳１の一対の被覆材３，４を利用して折畳シート２を展開又は折り畳み、折畳シート２上に複数の被収集物を収集するものであり、被収集物の収集が終了した時点で、折畳シート２を全部展開した状態で被収集物を展示可能とする。また、本例では、折畳シート２を展開して被収集物を収集する際には、折畳シート２を全部展開してもよいが、被収集物の収集作業スペースとして折畳シート２の全部を展開する必要がない場合には折畳シート２の一部を展開するようにすればよい。
【００１６】
また、折畳収集帳１の好ましい使用方法としては、折畳収集帳１を使用するに際し、折畳シート２に目標とする複数の被収集物を収集し終わった後、折畳シート２を全部展開し、かつ、一方の被覆材３の延長部５を折曲部６を介して折畳シート２の単位シート部２ａ上に折り返し、当該折畳シート２全体を展開状態で保持することにより収集された被収集物を展示するようにする方法が挙げられる。本例は、折畳シート２全体を展開状態で例えば額に保持して被収集物を展示するときに、一方の被覆材３の延長部５を折曲部６を介して折畳シート２の単位シート部２ａ上に折り返す使用態様である。この使用態様では、展開された折畳収集帳１を略矩形状に収めることで展開状態の折畳収集帳１を容易に保持することができ、しかも、折り返された延長部５の表面を露呈させることで折畳収集帳１の被覆材３のデザインや折畳収集帳１の種別なども合わせて表示することを可能とする。
【００１７】
以下、添付図面に示す実施の形態に基づいて本発明をより詳細に説明する。
◎実施の形態１
−折畳収集帳の全体構成−
図２は実施の形態１に係る折畳収集帳の全体構成を示す。
同図において、折畳収集帳１０は、縦横複数の折り目２２，２３を介して連接し、略矩形状の単位シート部２１に折り畳まれる展開可能な折畳シート２０と、折り畳まれた折畳シート２０の最下層に位置する単位シート部２１に図示外の接着剤を介して固着される第１のカバー３０（一方の被覆材に相当）と、折り畳まれた折畳シート２０の最上層に位置する単位シート部２１に図示外の接着剤を介して固着される第２のカバー４０（他方の被覆材に相当）と、を備えている。
【００１８】
＜折畳シート＞
本例において、折畳シート２０は、図２及び図３（ａ）に示すように、例えば３行×６列の略矩形状の単位シート部２１を有しており、単位シート部２１の大きさは対象となる被収集物に合わせて適宜選定して差し支えない。例えば被収集物が神社・仏閣の御朱印であれば御朱印の大きさを考慮して選定するようにすればよい。尚、単位シート部２１の大きさについては必ずしも夫々の被収集物が収まる大きさに選定する必要はなく、複数の単位シート部２１に跨がって夫々の被収集物を収集するようにしてもよいことは勿論である。
また、本例では、折畳シート２０は、墨汁、朱印又はインクによる表示が滲み・裏移りし難い和紙にて構成されている。この種の和紙としては例えばスターパックＢ−Ｓ１２０ｇ／ｍ２などの特殊開発の高級和紙が最適であり、これにより、墨汁や朱印の速やかな吸収性に優れた、滲みや写り込みがないきれいな紙面を保つことが可能である。
【００１９】
更に、折畳シート２０の各単位シート部２１は縦方向の折り目２２及び横方向の折り目２３を少なくとも２以上含んでいる。特に、本例では、折畳シート２０の各折り目２２，２３はミウラ折りに則ったものになっており、展開された折畳シート２０の縦方向の折り目２２については、図３（ａ）の左側から奇数番目の折り目２２が所謂谷折り（図中一点鎖線で示す）、偶数番目の折り目２２が所謂山折り（図中太点線で示す）になっており、また、横方向の折り目２３については、図３（ａ）の上側に位置する折り目２３は左側から奇数番目の単位シート部２１が所謂谷折り、偶数番目の単位シート部２１が所謂山折りになっており、更に、図３（ａ）の下側に位置する折り目２３は左側から奇数番目の単位シート部２１が所謂山折り、偶数番目の単位シート部２１が所謂谷折りになっている。
このため、本例では、折畳シート２０は、図３（ａ）に示す展開状態（３行×６列の単位シート部２１が展開した状態）から図３（ｂ）に示す折畳状態に折り畳むことが可能になっている。
【００２０】
＜第１のカバー＞
本例において、第１のカバー３０は、図２及び図４（ａ）に示すように、折畳シート２０の最下層に位置する単位シート部２１（図２中左上隅部に位置する単位シート部２１に相当）の裏側に固着されている。
ここで、第１のカバー３０としては、図４（ａ）（ｂ）に示すように、折畳シート２０よりも曲げ剛性の高い素材からなるカバー基材（例えば厚紙）５１が用いられており、本例ではカバー基材５１の少なくとも外側面には高級和紙などの装飾材５２が貼付されている。尚、カバー基材５１の内側面に外側面と同じあるいは異なる装飾材５２を貼付するようにしてもよいことは勿論である。また、カバー基材５１の表面に装飾材５２に代えて装飾画像を印刷するようにしてもよいことは勿論である。
【００２１】
そして、第１のカバー３０は、略矩形状のカバー本体３１を有し、このカバー本体３１の縦方向の一側辺には折曲部３３を介して横方向に連接する略矩形状の延長部３２を有している。
本例において、カバー本体３１は、折畳シート２０の単位シート部２１の縦横の外径寸法よりも大きい外形寸法（ｘ１，ｙ１）を有している。更に、延長部３２もカバー本体３１と略同様な外形寸法（ｘ１，ｙ１）を有している。そして、折曲部３３は、カバー本体３１及び延長部３２との隣接部位に形成された折曲線３４を介して折曲可能になっており、折曲部３３の幅寸法ｚ１は折り畳まれた折畳シート２０の厚さ及び第２のカバー４０の厚さの合算値以上に選定されている。尚、カバー本体３１及び延長部３２のうち折曲部３３から離れた側の各隅部には曲面状の面取り部３５が形成されている。
【００２２】
＜第２のカバー＞
第２のカバー４０は、図２及び図４（ｃ）に示すように、折畳シート２０の最上層に位置する単位シート部２１（図２中右下隅部に位置する単位シート部２１に相当）の裏側に固着されている。
ここで、第２のカバー４０としては第１のカバー３０と同様な素材で構成されており、略矩形状のカバー本体４１を有している。このカバー本体４１は、折畳シート２０の単位シート部２１の縦横の外径寸法よりも大きい外形寸法（ｘ２，ｙ２）（本例ではｘ２＝ｘ１，ｙ２＝ｙ１）を有している。尚、カバー本体４１の各隅部には曲面状の面取り部４５が形成されている。
【００２３】
−折畳収集帳の使用方法−
＜折畳収集帳携帯時＞
折畳収集帳１０を携帯する際には、図５（ａ）（ｂ）に示すように、第１のカバー３０及び第２のカバー４０を把持して折畳シート２０を折り畳み、しかる後、第１のカバー３０の延長部３２を折曲部３３を介して第２のカバー４０を覆う位置に折り曲げるようにすればよい。このとき、折畳収集帳１０では、折畳シート２０が折畳状態で第１のカバー３０、第２のカバー４０に挟まれた状態で収容され、更に、第１のカバー３０の延長部３２が第２のカバー４０を覆う位置に配置されている。本例では、第１のカバー３０の延長部３２のうち表面に露呈する部分は装飾材５２で覆われていることから、折畳収集帳１０の携帯時における外観品質は良好に保たれている。
【００２４】
＜折畳収集帳使用時＞
折畳収集帳１０を使用する際には、例えば図５（ａ）に示すように、第１のカバー３０の延長部３２を折曲部３３を介して開放した後、図６（ａ）に示すように、第１のカバー３０及び第２のカバー４０を把持して折畳シート２０を全部展開し、展開された折畳シート２０の該当箇所（図６（ａ）中のＣ１〜Ｃ１８のいずれか）に被収集物（例えば神社、仏閣の御朱印）を収集するようにすればよい。
このとき、折畳シート２０を全部展開してもよいが、被収集物の収集作業スペースとして折畳シート２０の全部を展開する必要がない場合には、例えば図６（ｂ）に示すように、折畳シート２０の一部（本例では折畳シート２０のＣ１〜Ｃ１２までの一部の領域）を展開した後、該当箇所である例えばＣ５の単位シート部２１に被収集物を収集するようにしてもよい。
【００２５】
＜折畳収集帳展示時＞
折畳収集帳１０に複数の被収集物を収集し終わった場合、収集した被収集物を壁面に飾ったり、額に入れてインテリアとして利用することで展示することが可能である。
このとき、図７（ａ）に示すように、折畳シート２０を全部展開し、かつ、第１のカバー３０の延長部３２を折曲部３３を介して折畳シート２０の図中左隅部に位置する単位シート部２１（Ｃ１６の領域）上に折り返し、当該折畳シート２０全体を展開状態で保持することにより収集された被収集物を展示するようにすればよい。
このような使用態様においては、図７（ａ）に示すように、展開された折畳収集帳１０を略矩形状に収めることで展開状態の折畳収集帳１０を容易に保持することが可能であり、しかも、図７（ａ）（ｂ）に示すように、第１のカバー３０のうち折り返された延長部３２の表面を露呈させることで、折畳収集帳１０の装飾材５２のデザイン５２ａ，５２ｂや折畳収集帳１０の品名表示５２ｃにて折畳収集帳１０の種別も合わせて表示することが可能である。
【００２６】
−折畳収集帳の係止構造例−
本実施の形態では、第１のカバー３０は延長部３２を折曲部３３を介して折り曲げる構造を採用しているが、折畳収集帳１０の閉じ形状を維持した状態で保管するという観点からすると、第１のカバー３０の延長部３２と第２のカバー４０との間に係止構造を付すようにしても差し支えない。
この種の係止構造としては、例えば図８（ａ）に示すように、第１のカバー３０の延長部３２は折曲部３３から離れた側に引っ掛け部としての面ファスナ６１を有し、第２のカバー４０側に設けられた被引っ掛け部としての面ファスナ６２に面ファスナ６１を係脱可能にする態様が挙げられる。
また、別の係止構造としては、図８（ｂ）に示すように、第１のカバー３０の延長部３２は折曲部３３から離れた側に引っ掛け部としての係止突片６３を有し、第２のカバー４０側に設けられた被引っ掛け部としての係止孔６４に係止突片６３を係脱可能にする態様が挙げられる。
【００２７】
◎変形の形態１
本実施の形態では、折畳シート２０は例えば３行×６列の単位シート部２１を有する態様であるが、単位シート部２１の数については適宜選定して差し支えない。
例えば図９（ａ）に示すように、折畳シート２０が３行×５列の単位シート部２１を有する態様の場合には、折畳シート２０を例えばミウラ折りに則った折り目２２，２３で折畳可能とし、折畳シート２０の最下層に位置する単位シート部２１（図９（ａ）中左上隅部に位置する単位シート部２１に相当）の裏側に第１のカバー３０を固着し、折畳シート２０の最上層に位置する単位シート部２１（図９（ａ）中右下隅部に位置する単位シート部２１に相当）の表側に第２のカバー４０を固着するようにすればよい。このようにすれば、折畳シート２０を折り畳んだ際に、第１のカバー３０及び第２のカバー４０間に折り畳まれた折畳シート２０が収容される折畳収集帳１０が得られる。
尚、単位シート部２１の列数が偶数であれば、実施の形態１と同様の方式で、折畳シート２０に対して第２のカバー４０を固着するようにすればよく、一方、単位シート部２１の列数が奇数であれば、変形の形態１と同様の方式で、折畳シート２０に対して第２のカバー４０を固着するようにすればよい。
【００２８】
◎変形の形態２
本実施の形態では、第１のカバー３０はカバー本体３１に対して一つの延長部３２を折曲部３３を介して折り曲げ可能に連接した態様であるが、これに限られるものではなく、例えば図９（ｂ）に示す変形の形態２のように構成しても差し支えない。
図９（ｂ）に示す態様では、第１のカバー３０は、実施の形態１と同様に、カバー本体３１の一方の縦方向側辺に折曲部３３を介して延長部３２を折曲可能に連接するほか、カバー本体３１の他方の縦方向側辺に第２の折曲部３８を介して第２の延長部３７を折曲可能に連接したものである。尚、第２の延長部３７の第２の折曲部３８から離れた側の各隅部には、延長部３２と同様に、曲面状の面取り部３５が形成されている。
このとき、折畳収集帳１０を携帯する場合には、第１のカバー３０の複数の延長部３２，３７が重なった状態で閉じられる態様にする必要があるため、例えば折曲部３３の幅寸法ｚ１に対して第２の折曲部３８の幅寸法ｚ２を延長部３２の厚さ分だけ大きく設定するようにすればよい。
【００２９】
◎実施の形態２
図１０（ａ）は実施の形態２に係る折畳収集帳の全体構成を示す。
同図において、折畳収集帳１０の基本的構成は実施の形態１に係る態様と略同様であるが、第１のカバー３０が実施の形態１と異なる構成を備えている。尚、実施の形態１と同様な構成要素については実施の形態１と同様な符号を付してここではその詳細な説明を省略する。
本実施の形態において、第１のカバー３０は、折畳収集帳１０として使用する前、それ自体で扁平な箱状容器を構成可能な構造を有しており、折畳収集帳１０として使用する際に箱状容器を解体して折畳シート２０のカバーとして機能するようになっている。
以下、第１のカバー３０の具体的構造について説明する。
【００３０】
本例において、第１のカバー３０は、実施の形態１と同様に、略矩形状のカバー本体３１を有し、このカバー本体３１の縦方向の一側辺に折曲部３３を介して延長部３２を折曲可能に連接したものであるが、実施の形態１と異なり、カバー本体３１の折曲部３３以外の３辺には折曲部３３の幅寸法と略同程度の幅寸法の細長い張り出し帯片７１〜７３を形成し、更に、延長部３２の折曲部３３以外の３辺にも折曲部３３の幅寸法と同程度の幅寸法の細長い張り出し帯片７４〜７６を形成し、更に、各張り出し帯片７１〜７６とカバー本体３１又は延長部３２との境界部には折り曲げ可能で且つ境界線に沿って切り取り可能なミシン目８１〜８６を形成したものである。
【００３１】
ここで、ミシン目８１〜８６については張り出し帯片７１〜７６の切り取り後のカバー本体３１や延長部３２の周縁の平滑性を良好に保つ上でマイクロミシン加工にて加工されることが好ましい。また、第１のカバー３０のカバー基材として例えばポリプロピレン樹脂、ポリエチレン樹脂あるいは合成紙ユポ（登録商標）を使用すれば、マイクロミシン加工によりミシン目８１〜８６を形成したとしても、各張り出し帯片７１〜７６はミシン目８１〜８６の方向に沿って容易に切り取ることは可能であるが、ミシン目８１〜８６に沿って折り曲げたとしても、ミシン目８１〜８６に沿う方向に対して交差する方向に作用する各張り出し帯片７１〜７６の引張荷重についてはある程度の強度が確保されることが確認されている。このため、第１のカバー３０に張り出し帯片７１〜７６を形成し、ミシン目８１〜８６に沿って折り曲げたとしても、これらをミシン目８１〜８６に沿って切り取る前であれば張り出し帯片７１〜７６とカバー本体３１又は延長部３２との間の接続強度はある程度確保することは可能である。
【００３２】
更に、本例では、延長部３２側に形成された張り出し帯片７４〜７６はカバー本体３１側に形成された張り出し帯片７１〜７３よりもミシン面に沿う長さ寸法が長く形成されており、また、延長部３２の横方向の両側辺に沿って形成された張り出し帯片７４，７６の張り出し帯片７５側には三角形状の接合片７４ａ，７６ａが形成されている。
【００３３】
次に、第１のカバー３０にて扁平な箱状容器を構成する場合について説明する。
今、図１０（ｂ）及び図１１（ａ）に示すように、第１のカバー３０の各張り出し帯片７１〜７６をミシン目８１〜８６に沿って略直角に折り曲げ、しかる後、第１のカバー３０の延長部３２を折曲部３３を介して折り曲げた後、図１１（ｂ）に示すように、カバー本体３１周辺の張り出し帯片７１〜７３に図示外の接着剤を塗布し、延長部３２周辺の張り出し帯片７４〜７６と重ねて固着し、カバー本体３１と延長部３２との間の周辺マチ面としてマチ面被覆帯部９１〜９３を形成し、これにより、扁平な箱状容器１００を構成するものである。ここで、マチ面被覆帯部９１は張り出し帯片７１，７４を接着したものからなり、マチ面被覆帯部９２は張り出し帯片７２，７５を接着したものからなり、マチ面被覆帯部９３は張り出し帯片７３，７６を接着したものからなる。尚、張り出し帯片７４，７６の接合片７４ａ，７６ａは隣接する張り出し帯片７５の長手方向両端部に接着剤にて接合され、第１のカバー３０による箱状容器１００の剛性を高めるようになっている。
【００３４】
このように、本例では、第１のカバー３０はそれ自体で扁平な箱状容器１００として構成されることから、このような第１のカバー３０による箱状容器１００内に折畳シート２０及び第２のカバー４０を予め組み込んでおくようにすれば、使用前の折畳収集帳１０として折畳シート２０を袋綴じ状態に保つことが可能であり、折畳シート２０の保管品質を良好に保つことが可能である。
また、第１のカバー３０は扁平な箱状容器１００として構成されることから、第１のカバー３０による箱状容器１００をそのまま郵送可能なパッケージとして利用することも可能である。
また、本例において、折畳収集帳１０を使用する場合には、図１１（ｂ）に示すように、第１のカバー３０による箱状容器１００のマチ面被覆帯部９１〜９３をミシン目８１〜８６に沿って切り取ることで、第１のカバー３０の延長部３２を開閉可能にすることが可能になるため、折畳収集帳１０の折畳シート２０を展開可能にすることが可能になる。
【実施例】
【００３５】
◎実施例１
図１２（ａ）は実施例１に係る折畳収集帳としての御朱印帳の携帯時における外観を示す。
実施例１に係る御朱印帳は実施の形態１に係る折畳収集帳を具現化したもので、図１３に示すように、折畳シートを展開した各単位シート部に神社、仏閣の各御朱印を収集するものである。尚、図１３に示すように、この御朱印帳を展示する場合には、第１のカバーの延長部を折畳シートの図中左上隅部に位置する単位シート部上に折り返して配置し、展示したものが御朱印帳であるという種別や、カバーのデザインを楽しんでもらうようにすることが好ましいことが理解される。
【００３６】
◎実施例２
図１２（ｂ）は実施例２に係る折畳収集帳としての御朱印帳の携帯時の外観を示す。
本例は、第１のカバーの延長部の外観が実施例１と異なるものであるが、装飾材としてユーザの好みに合わせた高級和紙を使用したり、装飾画像を印刷することで御朱印帳のデザインを存分に楽しむことも可能である。
【符号の説明】
【００３７】
１…折畳収集帳，２…折畳シート，２ａ…単位シート部，２ｂ…折り目，３…被覆材，４…被覆材，５…延長部，６…折曲部
【図１】
2019188634.tif 000003
【図２】
2019188634.tif 000004
【図３】
2019188634.tif 000005
【図４】
2019188634.tif 000006
【図５】
2019188634.tif 000007
【図６】
2019188634.tif 000008
【図７】
2019188634.tif 000009
【図８】
2019188634.tif 000010
【図９】
2019188634.tif 000011
【図１０】
2019188634.tif 000012
【図１１】
2019188634.tif 000013
【図１２】
2019188634.tif 000014
【図１３】
2019188634.tif 000015